【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
無線送信手段と、
周囲の磁気に基づいて方位を逐次計測する方位計測手段と、
この方位計測手段により計測された方位を記憶する記憶手段と、
前記無線送信手段が動作しているか否かを判別する判別手段と、
前記判別手段により前記無線送信手段が動作していると判別された場合は、前記記憶手段に記憶されている前記無線送信手段が動作していないときに計測された方位を表示する方位表示手段と、
を備えることを特徴とする無線通信機能付き方位計測装置。
【請求項２】
前記方位表示手段により前記記憶手段に記憶されている前記無線送信手段が動作していないときに計測された方位を表示している時間が所定の時間を超える場合は、現在の前記無線送信手段が動作している状態で計測される方位を表示することを特徴とする請求項１に記載の無線通信機能付き方位計測装置。
【請求項３】
前記方位表示手段により現在の前記無線送信手段が動作している状態で計測される方位を表示している旨を通知する通知手段を更に備えることを特徴とする請求項２に記載の無線通信機能付き方位計測装置。
【請求項４】
無線送信手段と、
周囲の磁気に基づいて方位を逐次計測する方位計測手段と、
この方位計測手段による計測中は前記無線送信手段の動作を停止させる送信制御手段と、
前記方位計測手段により計測された方位を表示する方位表示手段と、
を備えることを特徴とする無線通信機能付き方位計測装置。
【請求項５】
無線送信手段を備えた方位計測装置における方位計測方法であって、
周囲の磁気に基づいて方位を逐次計測する方位計測ステップと、
この方位計測ステップにより計測された方位を記憶する記憶ステップと、
前記無線送信手段が動作しているか否かを判別する判別ステップと、
前記判別ステップにより前記無線送信手段が動作していると判別された場合は、前記記憶ステップに記憶されている前記無線送信手段が動作していないときに計測された方位を表示する方位表示ステップと、
を含むことを特徴とする方位計測方法。
【請求項６】
無線送信手段を備えた方位計測装置における方位計測方法であって、
周囲の磁気に基づいて方位を逐次計測する方位計測ステップと、
この方位計測ステップの計測中は前記無線送信手段の動作を停止させる送信制御ステップと、
前記方位計測ステップにおいて計測された方位を表示する方位表示ステップと、
を含むことを特徴とする方位計測方法。
【請求項７】
コンピュータに、
無線送信機能と、
周囲の磁気に基づいて方位を逐次計測する方位計測機能と、
この方位計測機能により計測された方位を記憶する記憶機能と、
前記無線送信機能が動作しているか否かを判別する判別機能と、
前記判別機能により前記無線送信機能が動作していると判別された場合は、前記記憶機能に記憶されている前記無線送信機能が動作していないときに計測された方位を表示する方位表示機能と、
を実現させるためのプログラム。
【請求項８】
コンピュータに、
無線送信機能と、
周囲の磁気に基づいて方位を逐次計測する方位計測機能と、
この方位計測機能による計測中は前記無線送信機能の動作を停止させる送信制御機能と、
前記方位計測機能により計測された方位を表示する方位表示機能と、
を実現させるためのプログラム。
【手続補正２】
【補正対象書類名】明細書
【補正対象項目名】発明の名称
【補正方法】変更
【補正の内容】
【発明の名称】無線通信機能付き方位計測装置、方位計測方法、及び、プログラム
【手続補正３】
【補正対象書類名】明細書
【補正対象項目名】０００１
【補正方法】変更
【補正の内容】
【０００１】
本発明は、無線通信機能付き方位計測装置、方位計測方法、及び、プログラムに関する。
【手続補正４】
【補正対象書類名】明細書
【補正対象項目名】０００７
【補正方法】変更
【補正の内容】
【０００７】
携帯電話が水平方向の地磁気ｄｈに対して平行に移動した場合（例えば、地点ＡからＣへの移動）、Ｘ軸方向への磁場の変動がないため方位計測に誤差は生じない。しかし、地磁気ｄｈに対して垂直に移動した場合は（地点ＡからＢへの移動）、次の式により方位誤差θが生ずる。
【数１】
2007010614.tif 000001
【手続補正５】
【補正対象書類名】明細書
【補正対象項目名】０００８
【補正方法】変更
【補正の内容】
【０００８】
例えば、Ｘ軸方向への変動磁場値Δｘが２０μＴ（ミューテスラ）、東京を基準地とした地磁気ｄｈが３０μＴであったとすると、方位誤差θはおよそ３５°となる。このような電波出力によって生ずる方位誤差は非常に大きく、特許文献１のような技術により取得したオフセット補正値での補正は困難である。従って、方位計測の結果として、電波出力による誤差を含む方位が一時的に表示出力されてしまい、ユーザに誤認識を与えてしまうという不具合があった。
【手続補正６】
【補正対象書類名】明細書
【補正対象項目名】００１０
【補正方法】変更
【補正の内容】
【００１０】
以上の課題を解決するために、請求項１に記載の無線通信機能付き方位計測装置は、
無線送信手段と、
周囲の磁気に基づいて方位を逐次計測する方位計測手段と、
この方位計測手段により計測された方位を記憶する記憶手段と、
前記無線送信手段が動作しているか否かを判別する判別手段と、
前記判別手段により前記無線送信手段が動作していると判別された場合は、前記記憶手段に記憶されている前記無線送信手段が動作していないときに計測された方位を表示する方位表示手段と、
を備えることを特徴としている。
【手続補正７】
【補正対象書類名】明細書
【補正対象項目名】００１１
【補正方法】変更
【補正の内容】
【００１１】
請求項２に記載の発明は、請求項１に記載の無線通信機能付き方位計測装置において、
前記方位表示手段により前記記憶手段に記憶されている前記無線送信手段が動作していないときに計測された方位を表示している時間が所定の時間を超える場合は、現在の前記無線送信手段が動作している状態で計測される方位を表示することを特徴としている。
【手続補正８】
【補正対象書類名】明細書
【補正対象項目名】００１２
【補正方法】変更
【補正の内容】
【００１２】
請求項３に記載の発明は、請求項２に記載の無線通信機能付き方位計測装置において、
前記方位表示手段により現在の前記無線送信手段が動作している状態で計測される方位を表示している旨を通知する通知手段を更に備えることを特徴としている。
【手続補正９】
【補正対象書類名】明細書
【補正対象項目名】００１３
【補正方法】変更
【補正の内容】
【００１３】
請求項４に記載の無線通信機能付き方位計測装置は、
無線送信手段と、
周囲の磁気に基づいて方位を逐次計測する方位計測手段と、
この方位計測手段による計測中は前記無線送信手段の動作を停止させる送信制御手段と、
前記方位計測手段により計測された方位を表示する方位表示手段と、
を備えることを特徴とする無線通信機能付き方位計測装置。
【手続補正１０】
【補正対象書類名】明細書
【補正対象項目名】００１４
【補正方法】変更
【補正の内容】
【００１４】
請求項５に記載の発明は、無線送信手段を備えた方位計測装置における方位計測方法であって、
周囲の磁気に基づいて方位を逐次計測する方位計測ステップと、
この方位計測ステップにより計測された方位を記憶する記憶ステップと、
前記無線送信手段が動作しているか否かを判別する判別ステップと、
前記判別ステップにより前記無線送信手段が動作していると判別された場合は、前記記憶ステップに記憶されている前記無線送信手段が動作していないときに計測された方位を表示する方位表示ステップと、
を含むことを特徴としている。
【手続補正１１】
【補正対象書類名】明細書
【補正対象項目名】００１５
【補正方法】変更
【補正の内容】
【００１５】
請求項６に記載の発明は、無線送信手段を備えた方位計測装置における方位計測方法であって、
周囲の磁気に基づいて方位を逐次計測する方位計測ステップと、
この方位計測ステップの計測中は前記無線送信手段の動作を停止させる送信制御ステップと、
前記方位計測ステップにおいて計測された方位を表示する方位表示ステップと、
を含むことを特徴としている。
請求項７に記載のプログラムは、コンピュータに、
無線送信機能と、
周囲の磁気に基づいて方位を逐次計測する方位計測機能と、
この方位計測機能により計測された方位を記憶する記憶機能と、
前記無線送信機能が動作しているか否かを判別する判別機能と、
前記判別機能により前記無線送信機能が動作していると判別された場合は、前記記憶機能に記憶されている前記無線送信機能が動作していないときに計測された方位を表示する方位表示機能と、
を実現させることを特徴としている。
請求項８に記載のプログラムは、コンピュータに、
無線送信機能と、
周囲の磁気に基づいて方位を逐次計測する方位計測機能と、
この方位計測機能による計測中は前記無線送信機能の動作を停止させる送信制御機能と、
前記方位計測機能により計測された方位を表示する方位表示機能と、
を実現させることを特徴としている。
【手続補正１２】
【補正対象書類名】明細書
【補正対象項目名】００１６
【補正方法】変更
【補正の内容】
【００１６】
請求項１、５及び７に記載の発明によれば、無線送信手段又は無線送信機能が動作していないときに計測した方位を表示するため、無線送信により発生する磁場の変動は方位計測に影響を与えない。従って、無線通信（電波出力）による影響を受けることのない方位表示を行うことができる。
請求項２の発明によれば、無線送信手段又は無線送信機能が動作していないときに計測した方位を、所定時間を超えて表示しないため、方位計測装置を移動し表示している方位が変った場合に、続けて誤った方位を表示しないようにすることができる。
請求項３の発明によれば、無線送信手段又は無線送信機能が動作している状態で計測される方位を表示している旨を通知するため、正確な方位でない可能性があることを知ることができる。
【手続補正１３】
【補正対象書類名】明細書
【補正対象項目名】００１７
【補正方法】変更
【補正の内容】
【００１７】
請求項４、６及び８に記載の発明によれば、方位計測中に無線送信手段又は無線送信機能の動作を停止するため、無線送信により発生する磁場の変動は方位計測に影響を与えない。従って、無線通信（電波出力）による影響を受けることのない方位表示を行うことができる。
【手続補正１４】
【補正対象書類名】明細書
【補正対象項目名】００２４
【補正方法】変更
【補正の内容】
【００２４】
また、携帯電話１００の蓋部１０１を閉じた状態（以下、この状態を「蓋閉状態」という。）では、当該携帯電話１００の側面に設けられた第２方位計測キー３５の押下により方位計測アプリが起動可能である。この場合は、携帯電話１００の方位が図６（ｂ）のようにサブ表示部５に表示される。蓋閉状態の携帯電話１００は、折り畳むことで蓋開状態よりもコンパクトになり、サブ表示部５に方位表示する掌に収容可能な電子コンパスとして機能する。
【手続補正１５】
【補正対象書類名】明細書
【補正対象項目名】００６１
【補正方法】変更
【補正の内容】
【００６１】
ドライバ１６６１は、方位計測が１回目ではないと判定した場合（ステップＡ１９；Ｎｏ）、前回の演算結果の出力時に、方位保持部１６７２に保持している方位演算結果を出力したか否かを判定し（ステップＡ２１）、その判定結果に基づいて今回の演算結果又は前回の演算結果を方位計測アプリに出力する。
【手続補正１６】
【補正対象書類名】明細書
【補正対象項目名】００８１
【補正方法】変更
【補正の内容】
【００８１】
１００    携帯電話
１        受話スピーカ
２        メイン表示部
３        入力部
４        送話マイク
５        サブ表示部
６        撮像レンズ
７        充電池
８，９    ステレオスピーカ
１５      無線部
３４      第１方位計測キー
３５      第２方位計測キー
６０      表示制御部
９０      通信部
１５０    送信部
１５１    受信部
１６６    制御部
１６７    フラッシュメモリ
１７５    センサーユニット
１６６１  ドライバ
１６７１  オフセット補正値テーブル
１６７２  方位保持部
１６７３  代替表示フラグ